(57)【要約】【課題】お弁当を作る時、既存の仕切りは硬く直線的にしか仕切れない為変化が乏しくおかずの大きさ・形によって切るか小さく作らないと詰められなかった。また仕切りとの間には必ず隙間もできる為おかずが動き崩れてしまう。さらに変化の乏しい空間形状に、ただ整然と詰め込むためマンネリ化してしまいバリエーション豊かにセンス良くお弁当を作ることはできなかった。【解決手段】原因は直線で仕切ることが支障をきたしていると考える。手段としては仕切り具を柔軟な構造で指で簡単に曲げられるようにし、区画したい形状を自在に描ける仕切り具を提供する。これにより自在におかずの空間形状を作れ隙間も埋めることが出来て効率良くお弁当作りができるようになる。さらに見た目にも個性的で楽しい演出ができる効果も得られるものである。【選択図】図１
2006181326.tif 000002
【特許請求の範囲】
【請求項１】
弁当箱や容器の収納空間を区画する着脱可能な仕切り具であり、弾性体からなる方形に形成された帯状のもので、長手方向に針金を芯として設けたことで、区画したい空間の仕切り形状を容易に作れ、形状を維持することが出来るようにしたことを特徴とする、曲げて使える仕切り具である。
【請求項２】
上記の仕切り具の両先端には垂直に面を設け容器の側壁に対する支持部に構成し、この面には凹凸を施したことを特徴とする、請求項１記載の曲げて使える仕切り具である。
【発明の詳細な説明】
【技術分野】
【０００１】本発明は、弁当箱や容器の収納空間を区画する仕切り形状を変化させることを容易にした仕切り具に関するものである。
【背景技術】
【０００２】従来の最もポピュラーな弁当箱における仕切りは図８に示すように方形の相対する平行面に対し直角に仕切ってありＡ方向にスライドできる仕切り板１０があった、これにより仕切り位置を変化させおかずとご飯の量を増減する役目を果たす。またこれは着脱可能なものである。【０００３】また弁当箱の中におかず用の密閉型小箱を内蔵するものがある。これは炒め物・煮物など水分を多く含む汁物をいれるのに適し、ご飯に汁が混じらないようにしたものがある。【０００４】またおかず用とご飯用の容器を完全に分離し二段重ねにした弁当箱もある。これはご飯に汁物が混じることも無く、食べ終えたら上段の容器を下段の容器内に納めることが出来る、携帯に都合の良いものがある。
【特許文献１】特開平９−１４０４３３号公報
【０００５】また二段式弁当箱のおかず箱における仕切り板で基軸を中心に回転させまたは取り外して使用するもので、仕切り位置・収納形などを変形できる。また汁物を入れても混じらない工夫が施されたものがある。
【特許文献２】特開２００３−１５９１１２号公報
【０００６】ハラン型の仕切りとしてハランをＴ字型に組み合わせたものもある。これはある一定の形をなしたものを容器に対して余裕を持たせた仕切り板でおかずやご飯を大雑把に区分けする。容易に動かせ経済的なものがある。
【特許文献３】特開２００２−２７２５２３号公報
【発明の開示】
【発明が解決しようとする課題】
【０００７】以上に述べた従来の弁当箱についている仕切りには不都合な課題がある。まず、第一に従来の仕切りはポリプロピレン製の硬い板状のもので、一定方向にスライドさせて仕切り位置を変化させるタイプのものである。しかしその範囲はおかずスペースを広げるか狭くするかだけの限られた変化しかできない。次に多いタイプは、おかず用の密閉型小箱を備えた物で汁物を入れるには適しているが、おかずを入れる空間が完全に限られる。このようにいずれのタイプも仕切れる範囲も変化も限られている為、おかず本来の形（長いエビフライ・大きく丸いハンバーグなど）をそのまま入れることは難しい、小さく切って入れるか小さく作るしかない。しかも切る事により汁物が出てしまうし旨味も落ちる。さらに変化の無いスペースに、ただ整然と詰め込むためマンネリ化してしまい、バリエーション豊かにセンス良くお弁当を作ることはできない。【０００８】また第二に未着手の解決すべき課題として、従来のもので何枚かの仕切りを回転させるものや、Ｔ字型の仕切りを容器内に固定せず浮遊状態のものもある、これで収納空間の変形はできるが、いずれも仕切り板自体は直線であり曲がりのない平面で成型されている。そのため大きくて丸い形のおかずを入れると仕切りとの間に必ず隙間ができてしまう、それがおかずを動きやすくし崩してしまう原因なのである。そして作り手はその動揺を抑えるべく何で埋めるかに悩み効率をも悪くする。これが作り手の不便を強いられている潜在的課題である。【０００９】そして第三に消費者にとっての問題がある、新しい仕切り方や工夫された機能を持つ弁当箱が市販されている。しかしその都度買い換えることにより、今まで使っていた弁当箱は無駄になる、この経済的無駄を無くすことも課題である。
【課題を解決するための手段】
【００１０】弁当箱や容器の収納空間を区画する着脱可能な仕切り具であり、弾性体からなる方形に形成された帯状のもので、長手方向に針金を芯として設けたことで、区画したい空間の仕切り形状を容易に作れ、形状を維持することが出来る。【００１１】また仕切り具の両先端には垂直に面を設け容器の側壁に対する支持部に構成し、この面には凹凸を施したことを特徴とする、曲げて使える仕切り具である。【００１２】これにより第一の課題においては、仕切り具をおかずの量・形状に合わせて指で曲げながらなぞるように設置するので、おかずの大きさ・形状・詰め方は好みどおりで小さく切ることも小さく作ることも無く、バリエーション豊かに弁当を作ることが出来る【００１３】また第二の課題においては、おかずの形状が大きく丸いものであっても周りを囲みこむように仕切り具を設置できるので隙間をふさぎ、動かないよう押さえ込む効果もある。これにより作り手の不便を解消できる。【００１４】そして第三の課題においては、使用する弁当箱に適したサイズの仕切り具を用いれば、構造は柔軟なうえ曲げて使うものなのであらゆるタイプの弁当箱・容器に適用できる。それに手持ちの古いタイプのものにでも機能するので弁当箱のリフレッシュ効果も期待でき、買い換えによる無駄もなくす経済的な貢献が出来るものである。
【発明の効果】
【００１５】本発明の仕切り具は、請求項１・２により、おかずの形状・量に合わせて仕切り具を指で簡易に変化できるので、おかずの形状・大きさ・並べ方は好みどおりにでき、小さく切ることも小さく作る必要も無い。またおかずの形状が大きく丸いものであっても周りを囲み込むように仕切り具を設置できるので隙間をふさぎ、動かないよう押さえ込み崩れにくくする効果もある。さらに手持ちの古いタイプのものにでも機能するので弁当箱のリフレッシュ効果も期待でき、買い換えによる無駄もなくす経済的貢献が出来るものである。またこれらのことによりバリエーション豊かに美麗なレイアウトに弁当を作れるのでマンネリ化を防ぎ、楽しく作れ、携帯による動揺にも崩れにくいお弁当を作ることを可能にする。
【発明を実施するための最良の形態】
【００１６】本発明である曲げて使える仕切り具の実施形態の一例について説明する。図１の仕切り具１は弁当箱や容器の収納空間を区画する着脱可能な仕切り具であり、図２の方形に形成された帯状のもので、素材としては柔軟で耐熱・耐寒性に優れるシリコンゴムを使用するのが好ましい。【００１７】そして図２の底辺部２には曲げた形を維持できるように、曲げやすいアルミなどの針金を本体構造の支柱（芯）として設ける。これは本体製造工程の金型成型において張り合わせるとき挟み込むのが望ましい。またこの針金の両端は本体を傷つけぬよう丸くするのが好ましい。これにより、曲げた形を維持する機能を備え指で簡単に仕切り形状を作ることができる。【００１８】また支持部３は、容器内の側壁と接する支持部で、この仕切り具の両先端には垂直に面４を設けその面には凹凸を施す。これは容器に設置したときずれを抑える滑り止めの機能をもつ。またその面は平面（Ｔ字型）に限らず、仕切り具の垂直中心線を境とした右面と左面とに配置角度をつけＹ字型にすることで容器の側壁を挟み込む働きと支柱の突っ張る圧力を緩衝する効果もある。また側壁に対し仕切り具を斜めに設置したとき一方の面が浮き上がることを抑制する働きを兼ねる。【００１９】土台５は、本体が単体で立てるようにしたものでおかずやご飯の重みでより安定する働きを有する。【００２０】このように、本発明によれば、区画したい空間の仕切り形状を指で曲げるだけで容易に作れ、その形状を維持することができる。これを容器内の側壁の部位から対する側壁の部位へ帯で線を描くように仕切ることができるようにしたことを特徴とする、曲げて使える仕切り具である。
【実施例１】
【００２１】この仕切り具の用途としての一例をあげると、まず弁当箱は三つのサイズに大別できる。大（男性用として用いられオーソドックスなもの）・中（女性・子供用として用いられ小ぶりなタイプ）・小（二段重ね式のタイプ）である、これらのサイズに適用できる長さ（純正品の２割ほど長くする）の仕切り具を提供することが好ましい。【００２２】また、二本の仕切り具をジョイントするタイプ図６・図７は、空間形状の区画数を増やすことができより多くのレイアウトを作れる。
【実施例２】
【００２３】この仕切り具の応用的仕様としての一例をあげると、お重箱や冷凍冷蔵用容器などの大きな箱用として長いサイズで、両端図２の４に吸盤（着脱可能な仕組み）を備え吸い付くようにし確実に固定できるものにするにする。【００２４】また、センター用として、初めから輪の形になったもので丸・三角・ハート型などに自在に曲げて使うもので弁当箱の側壁に接することなくご飯のエリア内で孤立した、おかずスペースを作るものである。【００２５】また、仕切り具本体図２の１の面に対してデザイン性のある柄・色・絵・などを施し美しくて楽しいものにする。さらに素材自体もカラー物の仕様を提供する。【００２６】また、別のバリエーションとして本体内部にはポリにプリントした写真やイラストなどを挟み込み密閉し見た目も楽しめるものも提供する。
【実施例３】
【００２７】用途によって適宜、弾性体の種類を変えることも可能でありシリコンに限定するものではない。また仕切り具本体の材料としてプラスチックなどの薄い板状のものでもできる。【００２８】食品用の容器に限らず、小物入れ整理箱などにも適宜応用利用できるものであり本発明の仕切り具は使い手の工夫次第で多岐にわたり使用できるものである。
【図面の簡単な説明】
【００２９】
【図１】本発明の仕切り具を容器内に設置した状態を示す斜視図である。
【図２】本発明の仕切り具本体の斜視図である。
【図３】本発明の仕切り具を上部から見た図である。
【図４】本発明の仕切り具の図２におけるＣ−Ｃ線断面図である
【図５】本発明の仕切り具を実際にお弁当箱で使用した状態の斜視図である。６はコーナー用の仕切り具である。
【図６】応用の一例で二本の仕切り具をジョイントし実際に弁当に使用した状態を示す斜視図である。
【図７】図６で使用しているジョイント用仕切り具を示す斜視図である。
【図８】従来のスライド式の仕切りを用いた弁当箱の一例を示す斜視図である
【符号の説明】
【００３０】１  仕切り具本体
２  曲げた形を維持するための針金
３  弁当箱に接する部分
４  弁当箱の側壁に接する面で、滑り止めの凹凸を施してある。
５  仕切り具を自立させる土台
６  コーナー用の仕切り具
７  分岐した仕切り具
８  ジョイントするための穴
９  ジョイントするための差込突起
１０  従来の硬い仕切り
【図１】
2006181326.tif 000003
【図２】
2006181326.tif 000004
【図３】
2006181326.tif 000005
【図４】
2006181326.tif 000006
【図５】
2006181326.tif 000007
【図６】
2006181326.tif 000008
【図７】
2006181326.tif 000009
【図８】
2006181326.tif 000010